(57)【要約】【解決手段】天井パネル（２１）と、床パネル（２３）と、壁パネル（３０）と、壁パネル（３０）のかご内部（２６）の側に取り付けられる巾木（３４）と、天井パネル（２１）と床パネル（２３）とに回転自在に取り付けられてかご内部（２６）に向かって開放可能な左開閉パネル（４０Ａ）と、左開閉パネル（４０Ａ）のかご内部（２６）の側に着脱自在に取り付けられる着脱巾木（４４）と、着脱巾木（４４）のかご外側に設けられる施錠解錠装置（５０）と、を備え、左開閉パネル（４０Ａ）および着脱巾木（４４）の大きさと意匠とは、壁パネル（３０）および巾木（３４）の大きさと意匠と同一である。これにより、かご内部（２６）の意匠性を保ちつつ、かご内部（２６）からかご（２０）の外及び昇降路（１０）の内部に設置された機器の保守、点検が可能なかご（２０）を提供できる。
2019150467.tif 000002
【特許請求の範囲】
【請求項１】
エレベーターのかごであって、
天井パネルと、
床パネルと、
壁パネルと、
前記壁パネルのかご内部の側に取り付けられる化粧板と、
一方の側部が上下の回転ピンを介して前記天井パネルと前記床パネルとに回転自在に取り付けられて、他方の側部が前記かご内部に向かって開放可能な開閉パネルと、
前記開閉パネルの前記かご内部の側に着脱自在に取り付けられる着脱化粧板と、
前記開閉パネルの前記着脱化粧板のかご外側に設けられて前記開閉パネルの施錠解錠を行う施錠解錠装置と、を備え、
前記かご内部から見た前記開閉パネルの大きさと意匠とは前記かご内部から見た前記壁パネルの大きさと意匠と同一であり、前記かご内部から見た前記開閉パネルに取り付けられた前記着脱化粧板の大きさと意匠とは前記かご内部から見た前記壁パネルに取り付けられた化粧板の大きさと意匠と同一であること、
を特徴とするエレベーターのかご。
【請求項２】
請求項１に記載のエレベーターのかごであって、
前記化粧板は、前記壁パネルの下辺部の前記かご内部の側に取り付けられる巾木であり、
前記着脱化粧板は、前記開閉パネルの下辺部の前記かご内部の側に着脱自在に取り付けられる着脱巾木であること、
を特徴とするエレベーターのかご。
【請求項３】
請求項１または２に記載のエレベーターのかごであって、
前記開閉パネルと前記壁パネルとの間の縦目地の幅は、前記壁パネル間の縦目地の幅と同一であること、
を特徴とするエレベーターのかご。
【請求項４】
請求項３に記載のエレベーターのかごであって、
前記開閉パネルの前記他方の側部と、前記開閉パネルの前記他方の側部と縦目地を形成する前記壁パネルの側部とは、それぞれ意匠面からかご外側に向かって折り曲げられた折り曲げ部を有し、
前記開閉パネルの前記他方の側部に設けられた折り曲げ部の折り曲げ角度は、９０度よりも大きいこと、
を特徴とするエレベーターのかご。
【発明の詳細な説明】
【技術分野】
【０００１】
本発明は、エレベーターのかごの構造に関する。
【背景技術】
【０００２】
エレベーターの昇降路の中には制御装置や巻上機のような機器が配置されている。このような昇降路の中に配置された機器の保守、点検を行う場合には、技術者が昇降路内に入って保守、点検を行う必要がある。しかし、保守、点検の際に昇降路の中に入ることは、作業の効率化の観点から改善の余地がある。【０００３】
そこで、エレベーターのかごの側板に点検口を設けて、昇降路内に設置された機器の点検をかごの中から行うことが可能なかごの構造（例えば、特許文献１参照）、或いは、側板を上下方向にスライドさせてかごの側壁の一部を開放し、機器の点検をかごの中から行うことができるかごの構造（例えば、特許文献２参照）などが提案されている。
【先行技術文献】
【特許文献】
【０００４】
【特許文献１】特開２０１１−６８４２８号公報
【特許文献２】特開２０１５−５１８１５号公報
【発明の概要】
【発明が解決しようとする課題】
【０００５】
しかし、特許文献１に記載された点検口はかご内部の壁面と意匠が異なるので見栄えが悪くなり、特許文献２に記載され構造は側板をスライドさせるレールがかご内部から見えるため見栄えが悪くなるという問題がある。また、エレベーターのかごは乗客が搭乗するものであるから、乗客が搭乗している際に点検口が開放されないように点検口或いはスライド式の側板に施錠解錠装置を取り付けることが必要となる。しかし、このような施錠解錠装置をかご内部の意匠面に配置すると見栄えが悪くなる上、保守、点検を行う技術者以外の者が誤って点検口を解錠し、点検口を開放してしまう可能性がある。【０００６】
そこで、本発明は、かご内部の意匠性を保ちつつ、保守、点検を行う技術者のみがかご内部からかごの外及び昇降路内に設置された機器の保守、点検が可能なかごを提供することを目的とする。
【課題を解決するための手段】
【０００７】
本発明のエレベーターのかごは、天井パネルと、床パネルと、壁パネルと、前記壁パネルのかご内部の側に取り付けられる化粧板と、一方の側部が上下の回転ピンを介して前記天井パネルと前記床パネルとに回転自在に取り付けられて、他方の側部が前記かご内部に向かって開放可能な開閉パネルと、前記開閉パネルの前記かご内部の側に着脱自在に取り付けられる着脱化粧板と、前記開閉パネルの前記着脱化粧板のかご外側に設けられて前記開閉パネルの施錠解錠を行う施錠解錠装置と、を備え、前記かご内部から見た前記開閉パネルの大きさと意匠とは前記かご内部から見た前記壁パネルの大きさと意匠と同一であり、前記かご内部から見た前記開閉パネルに取り付けられた前記着脱化粧板の大きさと意匠とは前記かご内部から見た前記壁パネルに取り付けられた化粧板の大きさと意匠と同一であること、を特徴とする。【０００８】
このように、かご内部から見た開閉パネルの大きさと意匠及び着脱化粧板の大ききと意匠を壁パネルの大きさと意匠及び化粧板の大きさと意匠と同一とすることにより、かご内部の意匠の統一性を確保して見栄えを向上させつつ、かご内部からかごの外及び昇降路内に設置された機器の保守、点検が可能となる。また、化粧板と全く同一意匠の着脱化粧板のかご外側に施錠解錠装置を隠すことにより、乗客が施錠解錠装置に気づくことを抑制し、保守、点検を行う技術者以外の者が誤って開閉パネルを開放してしまうことを抑制できる。【０００９】
本発明のエレベーターのかごにおいて、前記化粧板は、前記壁パネルの下辺部の前記かご内部の側に取り付けられる巾木で、前記着脱化粧板は、前記開閉パネルの下辺部の前記かご内部の側に着脱自在に取り付けられる着脱巾木としてもよい。【００１０】
開閉パネルの下辺部に設けられる着脱巾木は目立ちにくいので、着脱巾木のかご外側に施錠解錠装置を配置することにより、乗客が施錠解錠装置に気づくことをさらに抑制し、保守、点検を行う技術者以外の者が誤って開閉パネルを開放してしまうことをさらに抑制できる。【００１１】
本発明のエレベーターのかごにおいて、前記開閉パネルと前記壁パネルとの間の縦目地の幅は、前記壁パネル間の縦目地の幅と同一としてもよい。【００１２】
このように、縦目地の幅を同一にすることにより、更に意匠の統一性確保することができると共に、乗客が施錠解錠装置に気づくことをさらに抑制し、保守、点検を行う技術者以外の者が誤って開閉パネルを開放してしまうことをさらに抑制できる。【００１３】
本発明のエレベーターのかごにおいて、前記開閉パネルの前記他方の側部と、前記開閉パネルの前記他方の側部と縦目地を形成する前記壁パネルの側部とは、それぞれ意匠面からかご外側に向かって折り曲げられた折り曲げ部を有し、前記開閉パネルの前記他方の側部に設けられた折り曲げ部の折り曲げ角度は、９０度よりも大きくしてもよい。【００１４】
この構成により、開閉パネルの折り曲げ部が壁パネルの折り曲げ部と干渉することがなくなり、開閉パネルと壁パネルとの縦目地の幅を狭くして、壁パネル間の縦目地の幅と同一幅にすることができる。
【発明の効果】
【００１５】
本発明は、かご内部の意匠性を保ちつつ、かご内部からかごの外及び昇降路内に設置された機器の保守、点検が可能なかごを提供することができる。
【図面の簡単な説明】
【００１６】
【図１】実施形態のかごを用いたエレベーターの平面断面図である。
【図２】実施形態のかごを用いたエレベーターの立面断面図である。
【図３】実施形態のかごを内部から見た斜視図である。
【図４】実施形態のかごの左開閉パネルの施錠解錠装置を含む左右方向の断面図である。
【図５】実施形態のかごの左開閉パネルの施錠解錠装置を含む前後方向の断面図である。
【図６】実施形態のかごの左開閉パネルを開放した状態をかご内部から見た斜視図である。
【図７】実施形態のかごの左開閉パネルと壁パネルとの平面断面図と縦目地の平面断面図である。
【発明を実施するための形態】
【００１７】
以下、図面を参照しながら本実施形態のエレベーター１００のかご２０について説明する。最初に図１、図２を参照しながら実施形態のかご２０を用いたエレベーター１００について説明する。以下の説明では、昇降路１０の延びる方向を上下方向、かご２０の乗場１１の側を前側、反対側を後側、かご内部２６から乗場１１に向かって右側をかご２０の右側、左側をかご２０の左側として説明する。
【００１８】
図１、図２に示すように、エレベーター１００は、ビルの昇降路１０の内部に配置されたかご２０を図示しないガイドレールに沿って上下方向に移動させ、ビルの各階の間でかご２０に搭乗した乗客を輸送するものである。エレベーター１００は、乗客を乗せるかご２０と、かご２０に接続されたワイヤ１６と、ワイヤ１６に接続された釣り合い錘１５と、ワイヤ１６を巻き上げてかご２０を上下方向に移動させる巻上機１４と、巻上機１４やかご２０のかごドア２５の開閉等を制御する制御装置１３とを含んでいる。制御装置１３は一階部分の昇降路１０の内部の左側の壁面に取り付けられており、巻上機１４は、一階部分の昇降路１０の内部の後側の壁面に沿って取り付けられている。
【００１９】
図２に示すように、かご２０が一階で停止した状態では、かご２０の床パネル２３の上面は、一階の乗場１１の床面と同一面となっており、乗場ドア１２、かごドア２５が開となると乗客がかご２０に乗り降りできる。この状態において、制御装置１３の上端はかご２０の天井パネル２１と床パネル２３の間の天井パネル２１寄りで制御装置１３の下端は、かご２０の床パネル２３よりも少し低い位置となる。また、巻上機１４は、主要部が床パネル２３よりも上側となり、一部が床パネル２３の下側となっている。
【００２０】
図１、図２に示すように、エレベーター１００のかご２０は、天井パネル２１と、床パネル２３と、前壁２４と、かごドア２５と、複数の壁パネル３０と、左開閉パネル４０Ａと後開閉パネル４０Ｂと、で構成される箱状の筐体である。
【００２１】
かご２０の左側の壁面は、前側の左開閉パネル４０Ａと、中央と後側の壁パネル３０によって構成されており、後側の壁面は、左側の後開閉パネル４０Ｂと、中央と右側の壁パネル３０とで構成されており、右側の壁面は、３枚の壁パネル３０によって構成されている。
【００２２】
図３に示すように、左開閉パネル４０Ａは、一方の側部である前側部４０Ｆの上端面に上回転ピン４５が取り付けられており、前側の側部の下端面には上回転ピン４５と同軸に下回転ピン４６が取り付けられている。上回転ピン４５は、天井パネル２１のフランジ２２に設けられた穴に回転自在に嵌まり込んでおり、下回転ピン４６は、床パネル２３の左端前側に設けられた穴に回転自在に嵌まり込んでいる。左開閉パネル４０Ａは、前側部４０Ｆの上回転ピン４５、下回転ピン４６を中心に回転し、他方の側部である後側部４０Ｒがかご２０のかご内部２６に向かって開放可能である。
【００２３】
図３に示すように、壁パネル３０は、パネル本体３１と、下辺部のかご内部２６の側に取り付けられた化粧板である巾木３４とを含んでいる。パネル本体３１のかご外側には、上部補強部材３２と、下部補強部材３３とが取り付けられている。巾木３４は、下部補強部材３３のかご内部２６の側に嵌め込まれている。図４に示すように、左開閉パネル４０Ａは、パネル本体４１と、下辺部のかご内部２６の側に着脱自在に取り付けられた着脱化粧板である着脱巾木４４とを含んでいる。パネル本体４１のかご外側には、上部補強部材４２と、下部補強部材４３とが取り付けられている。着脱巾木４４は、下部補強部材４３のかご内部２６の側に嵌め込まれている。
【００２４】
図４、図７に示すように、パネル本体４１は、平板状でかご内部２６の側の意匠面４１ａと、前側部４０Ｆと後側部４０Ｒとに設けられる意匠面４１ａからかご外側に向かって折り曲げられた折り曲げ部４１ｂと、を有している。
【００２５】
図４に示すように、上部補強部材４２は、溝形断面の長手部材でウェブがパネル本体４１のかご外側に取り付けられている。また。下部補強部材４３は、略Ｓ字状に折り曲げ成形された長手部材で、溝部がかご内部２６の側に向いた上側部分４３ａと溝部がかご外側に向いた下側部分４３ｂとを含んでいる。上側部分４３ａの上側のフランジはパネル本体４１のかご外側に取り付けられている。上側部分４３ａの下側のフランジの上面には、着脱巾木４４のフランジを挟みこむ取り付け金物４３ｃが設けられている。着脱巾木４４は、意匠面４４ａと意匠面４４ａから下部補強部材４３に向かって延びる２つのフランジ４４ｂとを含んでいる。フランジ４４ｂを下部補強部材４３の上側部分４３ａの上側フランジと取り付け金物４３ｃとに嵌合させることにより着脱巾木４４をパネル本体４１に取り付けることができる。また、ドライバ等の道具によって着脱巾木４４をパネル本体４１から取り外すことができる。
【００２６】
図３に示すように、左開閉パネル４０Ａの後側部４０Ｒの下辺部には、左開閉パネル４０Ａの施錠解錠を行う施錠解錠装置５０が取り付けられている。図４、図５に示すように、施錠解錠装置５０は、左開閉パネル４０Ａの下辺部に取り付けられた下部補強部材４３の上側部分４３ａの中に取り付けられている。着脱巾木４４が下部補強部材４３に嵌め込まれると、施錠解錠装置５０は、着脱巾木４４のかご外側に位置することになるので、かご内部２６から見えなくなる。
【００２７】
施錠解錠装置５０は、下部補強部材４３の上側部分４３ａのウェブに取り付けられたシャフト５１と、シャフト５１の周りに回動可能に取り付けられた回転板５２と、回転板５２に取り付けられた上ロック棒５３と下ロック棒５４と、シャフト５１に取り付けられたシリンダーキー５５と、を含んでいる。
【００２８】
上ロック棒５３は、回転板５２の上側の取り付け穴に回転自在に取り付けられ、下補強部材の上側部分４３ａの上側フランジに設けられた長穴４３ｄ、上部補強部材４２のフランジに設けられた長穴４２ａ、天井パネル２１のフランジ２２に設けられた長穴２２ａを貫通している。また、下ロック棒５４は、回転板５２の下側の取り付け穴に回転自在に取り付けられ、下補強部材の長穴４３ｅと床パネル２３の長穴２３ｂとを貫通している。長穴４３ｄ、４２ａ、２２ａは、前後方向の長さが上ロック棒５３の直径よりも大きく、シャフト５１の中心から後側に向かって延び、左右方向の幅は上ロック棒５３の直径より少し大きい程度の長穴である。また、長穴４３ｅ、２３ｂは、シャフト５１の中心から前側に向かって延びる長穴である。
【００２９】
シリンダーキー５５は、鍵を差し込むと回転板５２が回動可能となり鍵を外すと回転板５２の回動を拘束するものである。
【００３０】
施錠解錠装置５０は、シリンダーキー５５に鍵を差し込んで上ロック棒５３の取り付け板が真上で、下ロック棒５４の取り付け位置が真下になるように回転板５２を回動させると、図５に実線で示すように、上ロック棒５３の上端が天井パネル２１のフランジ２２に設けられた長穴２２ａに嵌合し、下ロック棒５４の下端が床パネル２３の長穴２３ｂに嵌合して左開閉パネル４０Ａを閉状態に保持する。また、図５に一転鎖線で示すように、回転板５２を上ロック棒５３の取り付け位置と下ロック棒５４の取り付け位置が水平になるように回動させると、上ロック棒５３、下ロック棒５４の天井パネル２１のフランジ２２、床パネル２３との嵌合が解かれ、左開閉パネル４０Ａが開閉可能となる。
【００３１】
以上、左開閉パネル４０Ａの構成について説明したが、後開閉パネル４０Ｂの構成は左開閉パネル４０Ａと同一構成なので、説明は省略する。
【００３２】
左開閉パネル４０Ａを開放する際には、以下のような手順で開放する。まず、図３に示すような左開閉パネル４０Ａが閉じた状態で、着脱巾木４４をドライバ等の工具を用いて下部補強部材４３から取り外す。すると、図４、図５に示すように、かご内部２６から施錠解錠装置５０のシリンダーキー５５が見える。鍵をシリンダーキー５５に差し込んで、図５に一点鎖線で示すように、回転板５２を上ロック棒５３の取り付け位置と下ロック棒５４の取り付け位置が水平になる位置まで回動させる。すると、上ロック棒５３、下ロック棒５４の天井パネル２１のフランジ２２、床パネル２３との嵌合が外れる。左開閉パネル４０Ａの下部補強部材４３をかご内部２６に向かって手前に引くと、図６に示すように、左開閉パネル４０Ａの後側部４０Ｒがかご内部２６に向かって移動し、左開閉パネル４０Ａが開放される。図６に示すように、左開閉パネル４０Ａを開放すると左開閉パネル４０Ａと同一の大きさの開口２８が出現する。図２に示すように、かご２０が一階に停止している場合には、この開口２８は、制御装置１３の正面に位置するので、図６に示すように技術者２９は、この開口２８から制御装置１３の保守、点検を行うことができる。
【００３３】
また、同様の手順で後開閉パネル４０Ｂを開放すると、後側の開口２８が出現する。後側の開口２８は巻上機１４の正面に位置するので、技術者２９は、この後側の開口２８から巻上機１４の保守、点検を行うことができる。
【００３４】
そして、制御装置１３、巻上機１４の保守、点検が終了したら、左開閉パネル４０Ａ、後開閉パネル４０Ｂを閉じ、上ロック棒５３の取り付け位置が真上で、下ロック棒５４の取り付け位置が真下になるように回転板５２を回動させ、シリンダーキー５５から鍵を抜くと左開閉パネル４０Ａ、後開閉パネル４０Ｂが閉止される。そして、着脱巾木４４を下部補強部材４３に取り付けるとかご２０は、図３に示すような当初の状態に戻る。
【００３５】
以上説明した、かご２０の左開閉パネル４０Ａと後開閉パネル４０Ｂの大きさとかご内部２６から見た各意匠面４１ａの意匠は、各壁パネル３０の大きさとかご内部２６から見た各意匠面３１ａの意匠と同一である。また、左開閉パネル４０Ａと後開閉パネル４０Ｂにそれぞれ取り付けられた着脱巾木４４の大きさとかご内部２６から見た着脱巾木４４の意匠面４４ａの意匠は、各壁パネル３０に取り付けられた各巾木３４の大きさとかご内部２６から見た各巾木３４の各意匠面３４ａの意匠と同一である。これにより、かご内部２６の意匠の統一性を確保して見栄えを向上させつつ、かご内部２６からかご２０の外及び昇降路１０の内部に設置された機器の保守、点検を行うことが可能となる。
【００３６】
また、上記のような構成なので、かご内部２６にいる乗客には、どのパネルが開閉可能なパネルなのか全く気付かないようになっている。さらに、施錠解錠装置５０が着脱巾木４４のかご外側に隠れて見えないようにしている。これにより、乗客が施錠解錠装置５０に気づくことを抑制し、保守、点検を行う技術者以外の者が誤って左開閉パネル４０Ａ、後開閉パネル４０Ｂを開放してしまうことを抑制できる。
【００３７】
図７（ａ）、図７（ｂ）に示すように、左開閉パネル４０Ａの後側部４０Ｒの折り曲げ部４１ｂは、意匠面４１ａからかご外側に向かう折り曲げ角度θ１が９０度以上となっている。また、左開閉パネル４０Ａの折り曲げ部４１ｂと対向する壁パネル３０の折り曲げ部３１ｂの意匠面３１ａからかご外側に向かう折り曲げ角度θ２は略９０度となっている。
【００３８】
このため、図７に一点鎖線で示すように、上回転ピン４５、下回転ピン４６の周りに左開閉パネル４０Ａを回転させて、左開閉パネル４０Ａを開放する場合に、折り曲げ部４１ｂが隣接する壁パネル３０の折り曲げ部３１ｂと干渉することがなくなるので、図７（ｂ）に示す左開閉パネル４０Ａの後側部４０Ｒと隣接する壁パネル３０との間に形成される縦目地４７の幅ｄ１を狭くできる。これにより、図７（ｂ）に示す左開閉パネル４０Ａの後側部４０Ｒと隣接する壁パネル３０との間に形成される縦目地４７の幅ｄ１を図７（ｃ）に示す互いに隣接する壁パネル３０の間に形成される縦目地３７の幅ｄ２と同一幅にできる。このように、縦目地４７、３７の幅を同一にすることにより、かご内部２６の意匠の統一性をさらに確保しつつ、かご内部２６からかご２０の外及び昇降路１０の内部に設置された機器の保守、点検を行うことが可能となる。また、乗客が施錠解錠装置５０に気づくことを更に抑制し、保守、点検を行う技術者以外の者が誤って左開閉パネル４０Ａ、後開閉パネル４０Ｂを開放してしまうことを更に抑制できる。
【００３９】
以上説明した実施形態のかご２０では、左開閉パネル４０Ａの下辺部に取り付けられる着脱巾木４４のかご外側に施錠解錠装置５０を配置することとして説明したが、これに限らず、例えば、壁パネル３０の上辺部に化粧板として天井見切り板を取り付け、左開閉パネル４０Ａの上辺部に同一の大きさと意匠を備える着脱天井見切り板を取り付け、そのかご外側に施錠解錠装置５０を配置してもよい。
【符号の説明】
【００４０】
１０  昇降路、１１  乗場、１２  乗場ドア、１３  制御装置、１４  巻上機、１５  釣り合い錘、１６  ワイヤ、２０  かご、２１  天井パネル、２２  フランジ、２２ａ，２３ａ，４２ａ，４３ｄ，４３ｅ  長穴、２３  床パネル、２４  前壁、２５  かごドア、２６  かご内部、２８  開口、２９  技術者、３０  壁パネル、３１，４１  パネル本体、３１ａ，３４ａ，４１ａ，４４ａ  意匠面、３１ｂ，４１ｂ  折り曲げ部、３２，４２  上部補強部材、３３，４３  下部補強部材、３４  巾木、３７，４７  縦目地、４０Ａ  左開閉パネル、４０Ｂ  後開閉パネル、４０Ｆ  前側部、４０Ｒ  後側部、４３ａ  上側部分、４３ｂ  下側部分、４３ｃ  取り付け金物、４４  着脱巾木、４４ｂ  フランジ、４５  上回転ピン、４６  下回転ピン、５０  施錠解錠装置、５１  シャフト、５２  回転板、５３  上ロック棒、５４  下ロック棒、５５  シリンダーキー、１００  エレベーター、ｄ１，ｄ２  幅、θ１，θ２  角度。
【図１】
2019150467.tif 000003
【図２】
2019150467.tif 000004
【図３】
2019150467.tif 000005
【図４】
2019150467.tif 000006
【図５】
2019150467.tif 000007
【図６】
2019150467.tif 000008
【図７】
2019150467.tif 000009
【国際調査報告】
2019150467.tif 000010
2019150467.tif 000011
2019150467.tif 000012
2019150467.tif 000013